(57)【要約】　　　（修正有）【課題】一人の懸賞応募者が同じ懸賞に何度も応募できなく、懸賞応募者は懸賞提供側の情報を何度も見ることができ、懸賞応募者以外の者が懸賞提供側の情報を見る機会が増える通信装置及びプリンタの提供。【解決手段】懸賞情報を受け入れ部が受け入れ、表示用懸賞提供情報を表示部が表示し、プリント用懸賞データをプリント指示操作に応じて送出部がプリンタに送出しプリントアウトした後に、信号受け部がプリント終了信号を受け、送り部が懸賞管理センターにプリントアウト済の情報／応募内容及び応募者に関する情報を通信回線を介して送る。懸賞管理センターは応募者が懸賞データをプリントアウトしたことを確認できる。懸賞管理センターは懸賞番組を実行し、懸賞提供企業に当選者通知を行い、懸賞提供企業は当選通知を該当応募者に送り、該当応募者は懸賞データのプリントアウトしたものを懸賞提供企業に送り、懸賞提供企業は該当応募者に懸賞品を送る。【選択図】　図１
2004005078.tif 000002
【特許請求の範囲】
【請求項１】
通信装置であって、
表示用懸賞提供情報及びプリント用懸賞データを含む懸賞情報を受け入れる受け入れ部と、
受信した懸賞提供情報を表示する表示部と、
プリント指示操作に応じてプリント用懸賞データをプリンタに送出する送出　部と、
前記プリンタからプリント終了信号を受ける信号受け部と、
懸賞管理センターにプリント用懸賞データがプリントアウト済であることを示す情報並びに応募内容及び応募者に関する情報を通信回線を介して送る送り部と、からなる通信装置。
【請求項２】
前記通信装置はデジタルテレビ放送受信機からなり、当該デジタルテレビ放送受信機は懸賞番組提供放送局から前記懸賞情報を受け入れ、前記表示部は当該デジタルテレビ放送受信機のモニタである請求項１の通信装置。
【請求項３】
プリンタであって、
通信装置から懸賞情報についてのプリント用懸賞データを受信する受付部と、
プリント用懸賞データをプリントするプリント部と、
プリント用懸賞データのプリントが終了したことを前記通信装置に通知する通知部と、からなるプリンタ。
【発明の詳細な説明】
【０００１】
【発明の属する技術分野】
本発明は通信装置及びプリンタに係り、特に、双方向通信で懸賞を行う通信装置、及び当該通信装置に接続したプリンタに関する。
【０００２】
【従来の技術】
懸賞を行う方法としては、一般テレビの番組や雑誌によるものが多かったが、近年、インターネット上のホームページでの懸賞が増えてきた。
【０００３】
一般テレビや雑誌による懸賞は、葉書で応募する場合、応募者が郵便料金を負担しなければならないので容易には何度も応募できない。また、ダイレクトメール等で懸賞情報が送られてきた場合は、懸賞提供側の情報が紙に印刷されているので応募者は何度も見ることができ、応募者以外の人、例えば家族が見る機会も多く、懸賞提供側も宣伝効果を期待できた。
【０００４】
しかし、インターネットでの懸賞では、１．一人の応募者が何回でも応募できてしまう、２．応募者が懸賞提供側の情報を見ることが一度きりのことが多い、３．パソコン等の端末で操作しないと見られないので応募者以外の人が懸賞提供側の情報を見る機会が少ない、という問題がある。デジタルテレビ等で懸賞を実施した場合も同様の問題がある。
【０００５】
【発明が解決しようとする課題】
本発明は、上記の事情を考慮して、一人の懸賞応募者が容易には同じ懸賞に何度も応募できなく、懸賞応募者は懸賞提供側の情報を何度も見ることができ、懸賞応募者以外の者が懸賞提供側の情報を見る機会が増える通信装置及びプリンタを提供することを目的とする。
【０００６】
【課題を解決するための手段】
請求項１の本発明は、通信装置であって、
表示用懸賞提供情報及びプリント用懸賞データを含む懸賞情報を受け入れる受け入れ部と、
受け入れた懸賞提供情報を表示する表示部と、
プリント指示操作に応じてプリント用懸賞データをプリンタに送出する送出　部と、
前記プリンタからプリント終了信号を受ける信号受け部と、
懸賞管理センターにプリント用懸賞データがプリントアウト済であることを示す情報並びに応募内容及び応募者に関する情報を通信回線を介して送る送り部と、からなる通信装置、からなる。
【０００７】
請求項１の本発明によれば、表示部に表示するための懸賞提供情報及びプリンタでプリントするための懸賞データを含む懸賞情報を受け入れ部が受け入れ、受け入れた表示用懸賞提供情報を表示部が表示し、受け入れたプリント用懸賞データをプリント指示操作に応じて送出部がプリンタに送出し、プリンタでプリント用懸賞データをプリントアウトした後に信号受け部がプリンタからプリント終了信号を受け、送り部が懸賞管理センターにプリント用懸賞データがプリントアウト済であることを示す情報並びに応募内容及び応募者に関する情報を通信回線を介して送る。懸賞管理センターは応募者が懸賞データをプリントアウトしたことを確認できる。この後、例えば、懸賞管理センターは懸賞番組を実行し、懸賞提供企業に当選者通知を行い、懸賞提供企業は当選通知を該当応募者に送り、該当応募者は懸賞データのプリントアウトしたものを懸賞提供企業に送り、懸賞提供企業は該当応募者に懸賞品を送る。
【０００８】
なお、懸賞情報の受信及び懸賞管理センターへの情報送信はインターネット回線を介したものでもよい。
【０００９】
請求項２の本発明は、前記通信装置はデジタルテレビ放送受信機からなり、当該デジタルテレビ放送受信機は懸賞番組提供放送局から前記懸賞情報を受け入れ、前記表示部は当該デジタルテレビ放送受信機のモニタである請求項１の通信装置、からなる。
【００１０】
請求項２の本発明によれば、デジタルテレビ放送受信機が懸賞番組提供放送局から懸賞情報を受け入れ、受け入れた懸賞提供情報をモニタに表示する。したがって、懸賞番組提供放送局からの懸賞情報はデジタルテレビ放送から流すことができ、プリンタ用懸賞データはデジタルテレビ放送のデータ放送とすることもできる。
【００１１】
請求項３の本発明は、プリンタであって、
通信装置から懸賞情報についてのプリント用懸賞データを受信する受付部と、
プリント用懸賞データをプリントするプリント部と、
プリント用懸賞データのプリントが終了したことを前記通信装置に通知する通知部と、からなるプリンタ、からなる。
【００１２】
請求項３の本発明によれば、受付部が通信装置から懸賞情報についてのプリント用懸賞データを受信し、プリント部がプリント用懸賞データをプリントし、プリントが終了したら通知部が前記通信装置にその旨通知する。
【００１３】
【発明の実施の形態】
以下、添付図面に従って本発明の実施の形態に係る通信装置及びプリンタを含む懸賞システムについて詳説する。
【００１４】
本形態では通信装置としてデジタルテレビを用いた例を説明する。
【００１５】
図１は、懸賞システム全体を示した図である。
【００１６】
懸賞番組放送局４は懸賞番組をデジタル放送形式で電波にのせる。各家庭に設置されたデジタル放送用の受信アンテナ６がその電波を受信する。アンテナ６に接続されたデジタルテレビ８が懸賞番組を映像化する。デジタルテレビ８にはプリンタ１０が接続されている。デジタルテレビ８は懸賞管理センター１２と双方向通信可能に通信接続されている。
【００１７】
デジタルテレビ８、プリンタ１０、懸賞管理センター１２の構成、接続及び機能の詳細を図４を用いて説明する。
【００１８】
図４中、点線で囲んだところがデジタルテレビ８である。デジタルテレビ８は、チューナ２０、データ分離部２２、本放送処理部２４、モニタ２６、データ放送処理部２８、モジュール解析部３０、プリントデータ処理部３２、等を備えている。デジタルテレビ用のアンテナ６がデジタル放送の電波を受信する。デジタル放送は本放送とデータ放送とからなる。本放送では映像などのテレビ番組等の主となる放送がなされ、データ放送では文字やデータ的な従たる放送がなされる。本実施の形態では、アンテナ６で受信されたデジタル放送のうち、本放送部分にモニタ表示用の懸賞提供情報が含まれ、データ放送部分にプリント用の懸賞データが含まれている。
【００１９】
アンテナ６に接続されたチューナ２０には、アンテナ６からの信号が入力される。チューナ２０では、周波数変換、映像信号がアナログであったりするときはデジタル復調、等の処理が行なわれる。チューナ２０の出力はデータ分離部２２に送られる。データ分離部２２は、チューナ２０から送られてくるデータから、本放送データとデータ放送データとを分離する。
【００２０】
本放送データは本放送処理部２４に送られる。本放送データはモニタ表示用の懸賞提供情報を含む。本放送処理部２４では、本放送データから映像信号、音声信号を生成する。映像信号はモニタ２６に送られる。モニタ２６では本放送の映像が流れ、モニタ表示用の懸賞提供情報が常時放送されるか、たまに放送される。モニタ２６に表示される懸賞提供情報は、例えば図２のように表示される。表示内容には、プリント可能である旨が含まれるほか、当選時にデータ放送部分の懸賞データをプリントしたものを送付する必要がある旨の記載がある。
【００２１】
データ放送データはデータ放送処理部２８に送られる。データ放送処理部２８では、データ放送データを受けてモジュール解析部３０に送る。データ放送処理部２８は送信されてきたデータ放送データをいったん蓄積しておく機能（バッファリング機能）を有する。そのため、モジュール解析部３０では、データ放送データが安定して順番に伝送される形になる。データ放送データは、モジュール単位で繰り返し伝送される「データカルーセル方式」により送信されてくる。モジュール解析部３０では、データ放送データの上述のモジュールを解析する。
【００２２】
解析されたデータはモニタ２６で表示することができる。また、解析されたデータはプリントデータ処理部３２に送られ、プリントデータ処理部３２は当該データからプリント画像を生成する。プリントデータ処理部３２には、デジタルテレビ８とは別体のプリンタ１０が接続している。プリントデータ処理部３２とプリンタ１０との接続は、シリアルでもパラレルでも無線でもよく、双方向であればよい。
【００２３】
上述のデータ放送データは、本放送放映中に繰り返し配信される。すなわち、本放送とリンクして放送される。ユーザは本放送放映中にいつでもプリント画像を印刷できる。
【００２４】
デジタルテレビ８は、ＣＰＵ３６、メモリ３８、入力部４０、信号受け部４２、受発信部３４を有し、メモリ３８、入力部４０、信号受け部４２、受発信部３４はそれぞれＣＰＵ３６と接続している。入力部４０はモニタ２６、プリントデータ処理部３２とそれぞれ接続している。受発信部３４は懸賞管理センター１２とインターネット回線を介して接続している。
【００２５】
プリンタ１０は、プリントデータ処理部３２からプリント情報を受け取る受付部４６、受け付けたプリントデータを記憶するメモリ５０、プリントデータをプリントするためのプリントエンジン４８、プリントしたことを通知する通知部４４を有し、通知部４４はデジタルテレビ８の信号受け部４２と接続している。
【００２６】
ユーザは、データ放送中のプリント用懸賞データを印刷したい場合、本放送の番組開始と同時にプリンタ１０を起動する。この起動はタイマー起動であってもよい。デジタルテレビ８では、モニタ２６の懸賞提供情報画面中、プリントボタンを入力部４０からクリックすると繰り返し伝送されるプリント用懸賞データからプリントするようモジュール解析部３０がプリント指示信号を受け、プリントデータ処理部３２がプリント画像を生成する。生成されたプリント画像データは受付部４６に送信され、メモリ５０に一旦蓄積されてプリントエンジン４８でプリント画像がプリントされる。図３はプリントの例を示した図である。プリントが済んだらプリント済みである旨が通知部４４に送信され、通知部４４から信号受け部４２に送信される。
【００２７】
ユーザが懸賞に応募するためには、このプリント済みである旨のデータを懸賞管理センター１２に送信することが必要になり、その際応募に必要な個人情報も添付する。プリント済みである旨のデータは、例えば、図３のプリント用懸賞データを圧縮したものでもよく、その圧縮したデータにヘッダとして個人情報を添付する方法がある。プリント用懸賞データの圧縮したものだと何の懸賞に応募したのかも懸賞管理センターの側でわかるので、応募情報としても有用である。個人情報としては、住所、氏名、年齢、性別、電話番号など、個人を特定するものである。個人情報は、入力部４０から入力する。個人情報は予め入力してメモリ３８に保存しておいてもよい。メモリ３８はＥＥＰＲＯＭのようなものでも、ハードディスクのようなものでもよい。ＣＰＵ３６は、メモリ３８、入力部４０、信号受け部４２、受発信部３４の作動を制御する。
【００２８】
プリント済みである旨のデータ及び個人情報は、受発信部３４において必要なデータ変換が行われ、受発信部３４からインターネット回線を介して懸賞管理センター１２に送信される。送信は懸賞番組が放映中に行う。
【００２９】
懸賞管理センター１２は、プリントアウト済みの応募であることを確認できる。すなわち、プリントアウト済みのデータが含まれていない応募は、応募とみなさない処理をする。懸賞管理センター１２は、各応募者からの応募情報を保存しておき、予め設定された受付期間終了後、抽選を行い、当選者を決定する。懸賞管理センター１２は、懸賞提供企業１４に当選者通知を出す。
【００３０】
懸賞提供企業１４は、当選者であるユーザ１６に当選ハガキを送り、当選者は当選ハガキと応募の際にプリントした懸賞プリント画像とを懸賞提供企業へ郵送する。懸賞提供企業は懸賞品を当選者に送る。
【００３１】
本形態によれば、応募時に懸賞データをプリントアウトした旨の情報を懸賞管理センター１２に送信することにより、応募に歯止めがかかり一人の懸賞応募者が容易には同じ懸賞に何度も応募できなくなる。また、懸賞データをプリントアウトすることにより懸賞応募者は懸賞情報を何度も見ることができ、内容をよく見ることができる。さらに懸賞応募者以外の者（家族等）が懸賞情報を見る機会が増えるので、懸賞提供側は懸賞内容を多くの人に宣伝できる。
【００３２】
なお、上述の例では、データ放送でプリント用懸賞データを配信するようにしたが、本放送でプリント用懸賞データを配信するようにしてもよい。
【００３３】
また、懸賞データがプリント済みである旨のデータを一旦メモリ３８に保存させておいて、別のとき、例えば放送後に受発信部３４からインターネット回線を介して懸賞管理センター１２にプリント済情報や個人情報等の必要情報を送信して応募するようにしてもよい。
【００３４】
なお、プリント済である旨のデータや応募情報がメモリ３８に保存された場合、所定期間経過したらメモリ３８から消去されるようにしてもよい。
【００３５】
上述の形態では、懸賞情報が放送局から電波で配信され、懸賞情報の受け入れをデジタルテレビとしたが、懸賞情報が懸賞情報提供者からインターネット回線を介して提供され、デジタルテレビの代わりにパソコン等の通信端末が懸賞情報を受けるようにすることもできる。この場合、通信端末がプリンタと接続されて懸賞プリントのやりとりをプリンタと行い、通信端末は懸賞管理センター１２とインターネット回線を介して接続されるようにすればよい。
【００３６】
【発明の効果】
本発明によれば、懸賞データをプリントアウトした事実を懸賞提供側に示すことにより一人の懸賞応募者が容易には同じ懸賞に何度も応募できなくなる。また、懸賞データをプリントアウトすることにより懸賞応募者は懸賞提供側の情報を何度も見ることができ、内容を十分に確認できる。さらに懸賞応募者以外の者（家族等）が懸賞提供側の情報を見る機会が増えるので、懸賞提供側は懸賞内容をできるだけ多くの人に宣伝できる。
【図面の簡単な説明】
【図１】懸賞システム全体を示した図。
【図２】モニタに表示される懸賞提供情報を示した図。
【図３】懸賞データのプリントの例を示した図。
【図４】デジタルテレビ、プリンタ、懸賞管理センターの構成及び接続を示したブロック図。
【符号の説明】
２…懸賞システム、８…デジタルテレビ、１０…プリンタ、１２…懸賞管理センター、２０…チューナ、２２…データ分離部、２４…本放送処理部、２６…モニタ、２８…データ放送処理部、３０…モジュール解析部、３２…プリントデータ処理部、３４…受発信部、３６…ＣＰＵ、３８…メモリ、４０…入力部、４２…信号受け部、４４…通知部、４６…受付部、４８…プリントエンジン、５０…メモリ
【図１】
2004005078.tif 000003
【図２】
2004005078.tif 000004
【図３】
2004005078.tif 000005
【図４】
2004005078.tif 000006